(57)【要約】      （修正有）【課題】商品吊下用のフックバーを利用して広告等のボードによる表示ができる脚体を提供する。【解決手段】シート材を折り曲げて、底板１に２枚の側板２を連設した横向き三角筒状とし、底板１の両端から延びる端折板５を側板２に内接させて保形し、２枚の側板２に亘って、その連設方向に上差切込８を設け、底板１から両側の端折板５の基部にかけて下嵌切込９を設ける。フックバーＢに下嵌切込９を上方から嵌め込み、ボード１０の下部を上差切込８に差し込むと、ボード１０は、脚体を介してフックバーＢに支持され、商品の陳列場所の付近に棚がなくても、ボード１０による広告表示等を行うことができる。【選択図】図３
2008191220.tif 000002
【特許請求の範囲】
【請求項１】
シート材を筒状に折り曲げて保形し、上部にボード差込用の上差切込を設けたボード用脚体において、下部に商品吊下用のフックバーに嵌め込む下嵌切込を設けたことを特徴とするボード用脚体。
【請求項２】
請求項１に記載のボード用脚体において、底板に２枚の側板を連設した横向き三角筒状とし、底板の両端から延びる端折板を側板に内接させ、端折板の突起を側板に係合させて保形したことを特徴とするボード用脚体。
【請求項３】
請求項１に記載のボード用脚体において、底板に２枚の側板を連設した横向き三角筒状とし、底板の両端から延びる端折板を側板に内接させ、端折板同士を係合させて保形したことを特徴とするボード用脚体。
【請求項４】
請求項１に記載のボード用脚体において、４枚の側板を連設した縦向き四角筒状とし、上差切込を一方の対向する側板の上部に位置させ、下嵌切込を他方の対向する側板の下端中央部に位置させたことを特徴とするボード用脚体。
【請求項５】
請求項１に記載のボード用脚体において、４枚の側板を連設した縦向き四角筒状とし、上差切込を一方の対角の上部に位置させ、下嵌切込を他方の対角の下部に位置させたことを特徴とするボード用脚体。
【請求項６】
請求項４又は５に記載のボード用脚体を複数個設け、これらを屈伸可能な帯材を介して連結したことを特徴とするボード用脚体。
【発明の詳細な説明】
【技術分野】
【０００１】
この発明は、店頭において、商品吊下用のフックバーを利用して広告等のボードを支持する脚体に関するものである。
【背景技術】
【０００２】
従来、店頭で広告等のボードを支持する脚体として、下記特許文献１には、図１８に示すように、板紙等のシート材を折り曲げて、底板５１に２枚の側板５２を連設した横向き三角筒状とし、各側板５２の上端に連設した縦板５３同士を重ね合わせ、縦板５３にスリット状の上差切込５４を設け、ボード５５の下部を、間隔をあけて棚に載置した２個の脚体の上差切込５４に差し込むものが記載されている。
【０００３】
【特許文献１】特開２００３−１０７９９９号公報
【発明の開示】
【発明が解決しようとする課題】
【０００４】
しかしながら、上記のような脚体では、フックバーに商品を吊り下げて陳列する場合、載置する棚がないことから、ボードによる広告表示ができないという問題がある。
【０００５】
そこで、この発明は、商品吊下用のフックバーを利用して広告等のボードによる表示ができる脚体を提供しようとするものである。
【課題を解決するための手段】
【０００６】
上記課題を解決するため、この発明は、シート材を筒状に折り曲げて保形し、上部にボード差込用の上差切込を設けたボード用脚体において、下部に商品吊下用のフックバーに嵌め込む下嵌切込を設けたのである。
【０００７】
この脚体においては、底板に２枚の側板を連設した横向き三角筒状とし、底板の両端から延びる端折板を側板に内接させ、端折板の突起を側板に係合させて保形するとよい。
【０００８】
また、底板に２枚の側板を連設した横向き三角筒状とし、底板の両端から延びる端折板を側板に内接させ、端折板同士を係合させて保形してもよい。
【０００９】
また、４枚の側板を連設した縦向き四角筒状とし、上差切込を一方の対向する側板の上部に位置させ、下嵌切込を他方の対向する側板の下端中央部に位置させてもよい。
【００１０】
また、４枚の側板を連設した縦向き四角筒状とし、上差切込を一方の対角の上部に位置させ、下嵌切込を他方の対角の下部に位置させてもよい。
【００１１】
そのほか、四角筒状のボード用脚体を複数個設け、これらを屈伸可能な帯材を介して連結してもよい。
【発明の効果】
【００１２】
この発明に係るボード用脚体では、ボード差込用の上差切込を上部に有する支持枠の下部に、商品吊下用のフックバーに嵌め込む下嵌切込を設けたので、フックバーを利用して広告等のボードによる表示を行うことができる。
【００１３】
また、支持枠を横向き三角筒状として端折板で保形し、又は縦向き四角筒状とすると、簡単な構造で安定してボードを支持できる。
【００１４】
さらに、四角筒状の支持枠を複数個屈伸可能な帯材を介して連結すると、フックバーの間隔に柔軟に対応しつつ、フックバー上で支持枠を安定させることができる。
【発明を実施するための最良の形態】
【００１５】
まず、この発明の第１実施形態に係る脚体を図１乃至図６に基づいて説明する。
【００１６】
図１に示すように、この脚体の板紙製ブランクでは、底板１の一側に２枚の側板２及び継代片３が順次連設され、底板１の他側に差込片４が連設されている。底板１の両端には端折板５が連設され、その両側先端部には突起５ａが設けられている。継代片３の基部には、スリット状の差込穴６が設けられ、各側板２の中間部には、ハ字形に配置した幅が広いスリット状の差込穴７が設けられている。
【００１７】
２枚の側板２には、境界の罫線を跨いで、幅が広いスリット状の上差切込８が連続的に設けられ、上差切込８の一部分は弧状に湾曲している。また、底板１には、両側の端折板５の基部へかけて、スリット状の下嵌切込９が設けられ、その両側に長方形状の押圧片９ａが、両端に扇状の押圧片９ｂがそれぞれ形成されている。
【００１８】
上記のようなブランクから脚体を組み立てるには、図２に示すように、底板１及び２枚の側板２を横向き三角筒状に折り曲げ、継代片３を内側へ折り曲げて、差込穴６に差込片４を差し込む。
【００１９】
次に、端折板５を上方内側へ折り曲げて、湾曲させるように撓ませつつ、突起５ａを差込穴７に差し込み、端折板５の両側縁を側板２に内接させると、両側板２及び底板１の撓みが防止されて、脚体が保形される。
【００２０】
このように組み立てた脚体を使用し、図３及び図４に示すように、店頭に設けられた商品吊下用のフックバーＢを利用して、広告等を印刷した段ボール製のボード１０を支持するには、２個の脚体を用意し、間隔をあけて隣り合う２本のフックバーＢに、各脚体の下嵌切込９を上方から嵌め込む。このとき、折り曲げられた押圧片９ａ，９ｂが反発によりフックバーＢを抱持するので、脚体がフックバーＢから脱落することがない。
【００２１】
そして、この状態で、ボード１０の下部を２個の脚体の上差切込８に差し込むと、上差切込８の両側縁でボード１０が挟持され、ボード１０は、２個の脚体を介してフックバーＢに支持されるので、商品の陳列場所の付近に棚がなくても、ボード１０による広告表示等を行うことができる。
【００２２】
なお、図５に示すように、ボード１０の大きさや形状によっては、１個の脚体のみでボード１０を支持することもでき、また、３個以上の脚体を３本以上のフックバーＢにそれぞれ取り付けて、ボード１０を支持することもできる。
【００２３】
また、図６に示すように、ボード１０の下縁が傾斜している場合には、対向する側板２の上差切込８の深さを変えることにより、ボード１０を水平に支持することができる。
【００２４】
さらに、側板２同士の境界となる頂部の稜線に対して上差切込８を傾斜させることにより、ボード１０を傾けた状態で支持することができ、ボード１０を正面に対し角度をなすように立体的に折り曲げて支持することもできる。
【００２５】
次に、この発明の第２実施形態に係る脚体を図７及び図８に基づいて説明する。
【００２６】
この脚体では、上記第１実施形態のものと基本構成が共通するが、第１実施形態の突起５ａ及び差込穴７に代えて、図７のブランクに示すように、一方の端折板５の先端に差込片５ｃが、他方の端折板５にコ字状スリットの差込穴５ｄがそれぞれ設けられている。
【００２７】
このブランクから脚体を組み立てる際には、図８に示すように、端折板５を上方内側へ折り曲げ、差込片５ｃを差込穴５ｄに差し込んで、端折板５同士を係合させる。
【００２８】
このような構成としても、端折板５の両側縁が側板２に内接した状態が維持され、両側板２及び底板１の撓みが防止されて、脚体が保形される。
【００２９】
そして、上記第１実施形態のものと同様、間隔をあけて隣り合う２本のフックバーＢにそれぞれ脚体の下嵌切込９を上方から嵌め込み、ボード１０の下部を脚体の上差切込８に差し込むことにより、ボード１０による広告表示等を行うことができる。
【００３０】
次に、この発明の第３実施形態に係る脚体を図９及び図１０に基づいて説明する。
【００３１】
図９に示すように、この脚体の板紙製ブランクでは、各一対の側板１１，１２が交互に連設され、一方の側板１２の外側には、継代片１３が連設されている。各側板１２には、中間の側板１１との稜線に沿った上部に上差切込１４が設けられ、各側板１１には、下端中央部に下嵌切込１５が設けられている。下嵌切込１５は、逆Ｊ字状とされ、その奥側端部に穴が穿設されて、フック１６が形成されている。
【００３２】
上記のようなブランクから脚体を組み立てるには、図１０に示すように、側板１１，１２を縦向き四角筒状に折り曲げ、継代片１３を反対側の側板１１に貼り付ける。
【００３３】
このように組み立てた脚体を使用し、店頭に設けられた商品吊下用のフックバーＢを利用して、広告等を印刷した段ボール製のボード１０を支持するには、間隔をあけて隣り合うフックバーＢに、それぞれ脚体のフック１６を撓ませつつ、下嵌切込１５を嵌め込み、フック１６をフックバーＢに嵌合させる。
【００３４】
そして、この状態で、ボード１０の下部を２個の脚体の上差切込１４に差し込むと、上差切込１４でボード１０が挟持され、ボード１０は、２個の脚体を介してフックバーＢに支持されるので、商品の陳列場所の付近に棚がなくても、ボード１０による広告表示等を行うことができる。
【００３５】
次に、この発明の第４実施形態に係る脚体を図１１乃至図１３に基づいて説明する。
【００３６】
図１１に示すように、この脚体の板紙製ブランクでは、側板１７，１８が２枚ずつ隣接して連設され、一方の側板１８の外側には、継代片１９が連設されている。各側板１８には、側板１７及び継代片１９との境界上部に上差切込２０が設けられ、側板１７同士及び側板１８同士の境界下部には、下嵌切込２１が設けられている。下嵌切込２１は、逆Ｊ字状とされ、その奥側端部に穴が穿設されて、フック２２が形成されている。
【００３７】
上記のようなブランクから脚体を組み立てるには、図１２に示すように、側板１７，１８を縦向き四角筒状に折り曲げ、これに伴い、フック２２を外側へ突出させ、継代片１９を反対側の側板１７に貼り付ける。
【００３８】
このように組み立てた脚体を使用し、図１２及び図１３に示すように、店頭に設けられた商品吊下用のフックバーＢを利用して、広告等を印刷した段ボール製のボード１０を支持するには、間隔をあけて隣り合うフックバーＢに、それぞれ脚体のフック２２を撓ませつつ、下嵌切込２１を嵌め込み、フック２２をフックバーＢに嵌合させる。
【００３９】
そして、この状態で、ボード１０の下部を２個の脚体の上差切込２０に差し込むと、上差切込２０でボード１０が挟持され、ボード１０は、２個の脚体を介してフックバーＢに支持されるので、商品の陳列場所の付近に棚がなくても、ボード１０による広告表示等を行うことができる。
【００４０】
なお、縦向き四角筒状の第３及び第４実施形態の脚体においても、横向き三角筒状の第１及び第２実施形態のものと同様、単体でボード１０を支持することができ、上差切込１４，２０の深さや角度を変えることにより、種々の形状のボード１０を様々な形態で支持することができる。
【００４１】
次に、この発明の第５実施形態に係る脚体を図１４及び図１５に基づいて説明する。
【００４２】
この脚体は、上記第３実施形態と同様の構成のものを帯材２３を介して２個連結したものであり、図１４に示すブランクにおいて、帯材２３は側板１１同士を繋ぎ、その中間部に縦方向の罫線２３ａが複数本入れられている。
【００４３】
上記ブランクから図１５に示す形態に組み立てた脚体を使用し、店頭に設けられた商品吊下用のフックバーＢを利用して、広告等を印刷した段ボール製のボード１０を支持するには、間隔をあけて隣り合う２本のフックバーＢの間隔に応じて罫線２３ａ沿いに帯材２３を適宜屈伸させ、各脚体のフック１６を撓ませつつ、各フックバーＢに下嵌切込１５を嵌め込み、フック１６を嵌合させる。
【００４４】
そして、この状態で、ボード１０の下部を２個の脚体の上差切込１４に差し込むと、上差切込１４でボード１０が挟持され、ボード１０は、２個の脚体を介してフックバーＢに支持されるので、商品の陳列場所の付近に棚がなくても、ボード１０による広告表示等を行うことができる。また、複数の脚体を管理する必要がなく、フックバーＢに対する脚体の角度が安定するので、陳列作業の負荷が軽減される。
【００４５】
次に、この発明の第６実施形態に係る脚体を図１６及び図１７に基づいて説明する。
【００４６】
この脚体は、上記第４実施形態と同様の構成のものを帯材２４を介して２個連結したものであり、図１６に示すブランクにおいて、帯材２４は側板１７同士を繋ぎ、その中間部に縦方向の罫線２４ａが複数本入れられている。
【００４７】
上記ブランクから図１７に示す形態に組み立てた脚体を使用し、店頭に設けられた商品吊下用のフックバーＢを利用して、広告等を印刷した段ボール製のボード１０を支持するには、間隔をあけて隣り合う２本のフックバーＢの間隔に応じて罫線２４ａ沿いに帯材２４を適宜屈伸させ、各脚体のフック２２を撓ませつつ、各フックバーＢに下嵌切込２１を嵌め込み、フック２２を嵌合させる。
【００４８】
そして、この状態で、ボード１０の下部を２個の脚体の上差切込２０に差し込むと、上差切込２０でボード１０が挟持され、ボード１０は、２個の脚体を介してフックバーＢに支持されるので、商品の陳列場所の付近に棚がなくても、ボード１０による広告表示等を行うことができる。また、複数の脚体を管理する必要がなく、フックバーＢに対する脚体の角度が安定するので、陳列作業の負荷が軽減される。
【００４９】
また、上記第５及び第６実施形態では、四角筒状の部分を帯材２３，２４を介して２個繋いだものを例示したが、四角筒状の部分に帯材２３，２４をさらに連設して、この部分を３個以上繋ぐこともできる。
【図面の簡単な説明】
【００５０】
【図１】この発明の第１実施形態に係る脚体のブランクを示す図
【図２】同上の組立状態を示す斜視図
【図３】同上の使用状態を示す斜視図
【図４】同上の使用状態を示す全体斜視図
【図５】同上の単体での支持状態を示す斜視図
【図６】同上の下縁が傾斜したボードの支持状態を示す斜視図
【図７】この発明の第２実施形態に係る脚体のブランクを示す図
【図８】同上の使用状態を示す斜視図
【図９】この発明の第３実施形態に係る脚体のブランクを示す図
【図１０】同上の使用状態を示す斜視図
【図１１】この発明の第４実施形態に係る脚体のブランクを示す図
【図１２】同上の使用状態を示す斜視図
【図１３】同上の使用状態を示す全体斜視図
【図１４】この発明の第５実施形態に係る脚体のブランクを示す図
【図１５】同上の使用状態を示す斜視図
【図１６】この発明の第６実施形態に係る脚体のブランクを示す図
【図１７】同上の使用状態を示す斜視図
【図１８】従来の脚体の使用状態を示す全体斜視図
【符号の説明】
【００５１】
１  底板
２  側板
３  継代片
４  差込片
５  端折板
５ａ  突起
６，７  差込穴
８  上差切込
９  下嵌切込
９ａ，９ｂ  押圧片
１０  ボード
１１，１２  側板
１３  継代片
１４  上差切込
１５  下嵌切込
１６  フック
１７，１８  側板
１９  継代片
２０  上差切込
２１  下嵌切込
２２  フック
２３  帯材
２３ａ  罫線
２４  帯材
２４ａ  罫線
【図１】
2008191220.tif 000003
【図２】
2008191220.tif 000004
【図３】
2008191220.tif 000005
【図４】
2008191220.tif 000006
【図５】
2008191220.tif 000007
【図６】
2008191220.tif 000008
【図７】
2008191220.tif 000009
【図８】
2008191220.tif 000010
【図９】
2008191220.tif 000011
【図１０】
2008191220.tif 000012
【図１１】
2008191220.tif 000013
【図１２】
2008191220.tif 000014
【図１３】
2008191220.tif 000015
【図１４】
2008191220.tif 000016
【図１５】
2008191220.tif 000017
【図１６】
2008191220.tif 000018
【図１７】
2008191220.tif 000019
【図１８】
2008191220.tif 000020